(57)【要約】【課題】管理者が複数の縫製装置の各々について目標値に対する実績の進み又は遅れの度合いを容易に把握可能な情報処理装置、情報処理システム、情報処理方法を提供すること。【解決手段】情報処理装置２は通信部２５、記憶装置２４、制御部２１を備える。制御部２１は複数の縫製装置３の各々について、識別情報、作業時間と、最終目標値を関連付けて記憶装置２４に記憶する。複数の縫製装置３の各々に対応する複数の端末装置５から識別情報と進捗情報を通信部２５を介して受信する。制御部２１は進捗情報と時刻情報を識別情報に関連付けて記憶装置２４に記憶する。制御部２１は第一表示要求を取得し、第一表示要求の取得に応じて複数の縫製装置３の各々についての、現在達成率と記最終目標値を示す値との少なくとも一方、現在縫製量、現在目標値を含む表示項目を表示部２７に表示する。【選択図】図１
2018055493.tif 000002
【特許請求の範囲】
【請求項１】
縫製装置による縫製作業の進捗を示す進捗情報を送信可能な複数の端末装置と通信可能な通信部と、
各種情報を記憶可能な記憶装置と、
制御部とを備え、複数の前記縫製装置の各々について、前記進捗情報を処理する情報処理装置において、
前記制御部は
前記複数の縫製装置の各々について、前記縫製装置を識別する識別情報と、前記縫製装置が稼働する作業時間と、前記縫製装置が前記作業時間内に行う縫製作業の量を示す最終目標値とを関連付けて前記記憶装置に記憶する第一記憶制御手段と、
前記複数の縫製装置の各々に対応する前記複数の端末装置から、前記識別情報と、前記進捗情報とを前記通信部を介して受信する受信手段と、
前記進捗情報と、前記進捗情報を取得した時刻を示す時刻情報とを、前記識別情報に関連付けて前記記憶装置に記憶する第二記憶制御手段と、
第一表示要求を取得する第一取得手段と、
前記第一取得手段が取得した前記第一表示要求の取得に応じて、前記複数の縫製装置の各々についての、
前記進捗情報に基づく現在の縫製作業の量である現在縫製量と、
現在時刻、前記最終目標値、及び前記作業時間に基づく、前記縫製装置が前記作業時間の内の前記現在時刻までの期間に行う縫製作業の量を示す現在目標値と、
前記現在縫製量、及び前記現在目標値に基づいて特定される現在達成率と、前記最終目標値を示す値との少なくとも一方と
を含む表示項目を表示部に表示する表示制御手段
として機能することを特徴とする情報処理装置。
【請求項２】
前記制御部は更に、
前記現在達成率と、前記最終目標値との少なくとも一方を表示することを要求する項目要求を取得する項目要求取得手段として機能し、
前記表示制御手段は、前記項目要求取得手段が取得した前記項目要求に応じた、前記現在達成率と、前記最終目標値との少なくとも一方を含む前記表示項目を前記表示部に表示することを特徴とする請求項１に記載の情報処理装置。
【請求項３】
前記制御部は更に、
前記識別情報を含む第二表示要求を取得する第二取得手段と、
前記第二取得手段が取得した前記第二表示要求の取得に応じて、前記第二表示要求が含む前記識別情報に対応する前記進捗情報と前記時刻情報とを、前記記憶装置から取得する第三取得手段
として機能し、
前記表示制御手段は、前記第二取得手段が取得した前記第二表示要求の取得に応じて、前記第三取得手段が取得した前記進捗情報と前記時刻情報とに基づき、前記作業時間内の複数の期間毎に、
前記進捗情報に基づく期間内の縫製作業の量である期間縫製量と、
前記期間、前記最終目標値、及び前記作業時間に基づく、前記縫製装置が前記期間内に行う縫製作業の量を示す期間目標値と、
前記期間縫製量、及び前記期間目標値に基づいて特定される期間達成率と、前記最終目標値を示す値との少なくとも一方と
を含む前記表示項目を前記表示部に表示することを特徴とする請求項１に記載の情報処理装置。
【請求項４】
前記表示制御手段は、前記第二取得手段が取得した前記第二表示要求の取得に応じて、前記期間達成率と前記最終目標値を示す値との少なくとも一方と、前記期間縫製量と、前記期間目標値とを含む前記表示項目を前記作業時間と、前記作業時間外とで異なる態様で前記表示部に表示することを特徴とする請求項３に記載の情報処理装置。
【請求項５】
前記制御部は更に、
前記表示項目をグラフと表との何れかで表示することを要求する形式要求を取得する形式要求取得手段として機能し、
前記表示制御手段は、前記形式要求取得手段が取得した前記形式要求に応じた表示形式で、前記表示項目を前記表示部に表示することを特徴とする請求項１〜４の何れかに記載の情報処理装置。
【請求項６】
縫製装置による縫製作業の進捗を示す進捗情報を送信可能な複数の端末装置と、
請求項１〜５の何れかに記載の情報処理装置と
を備えた情報処理システム。
【請求項７】
縫製装置による縫製作業の進捗を示す進捗情報を送信可能な複数の端末装置と通信可能な通信部と、各種情報を記憶可能な記憶装置と、制御部とを備え、複数の前記縫製装置の各々について、前記進捗情報を処理する情報処理装置が実行する情報処理方法において、
前記複数の縫製装置の各々について、前記縫製装置を識別する識別情報と、前記縫製装置が稼働する作業時間と、前記縫製装置が前記作業時間内に行う縫製作業の量を示す最終目標値とを関連付けて前記記憶装置に記憶する第一記憶制御工程と、
前記複数の縫製装置の各々に対応する前記複数の端末装置から、前記識別情報と、前記進捗情報とを前記通信部を介して受信する受信工程と、
前記進捗情報と、前記進捗情報を取得した時刻を示す時刻情報とを、前記識別情報に関連付けて前記記憶装置に記憶する第二記憶制御工程と、
表示要求を取得する取得工程と、
前記取得工程での前記表示要求の取得に応じて、前記複数の縫製装置の各々についての、
前記進捗情報に基づく現在の縫製作業の量である現在縫製量と、
現在時刻、前記最終目標値、及び前記作業時間に基づく、前記縫製装置が前記作業時間の内の前記現在時刻までの期間に行う縫製作業の量を示す現在目標値と、
前記現在縫製量、及び前記現在目標値に基づいて特定される現在達成率と、前記最終目標値を示す値との少なくとも一方と
を含む表示項目を表示部に表示する表示制御工程と
を備えることを特徴とする情報処理方法。
【発明の詳細な説明】
【技術分野】
【０００１】
本発明は複数の縫製装置の各々の縫製作業の進捗を示す進捗情報を処理する情報処理装置、情報処理システム、情報処理方法に関する。
【背景技術】
【０００２】
複数の縫製装置による縫製作業を管理するシステムが知られている（例えば、特許文献１参照）。特許文献１に記載のシステムは複数の子機と管理装置を備える。子機は作業進捗情報を管理装置に送信する。管理装置は子機から受け取る作業進捗情報に因り作業経過時間と実績完了数を管理し、各情報から実績ピッチタイムを演算し、既定の作業終了時刻までに完了する予測完了数を表示部に表示する。
【先行技術文献】
【特許文献】
【０００３】
【特許文献１】特開２０１４−１５３８４７号公報
【発明の概要】
【発明が解決しようとする課題】
【０００４】
従来のシステムでは、複数の縫製装置の作業状態を一括で表示した時、現在の実績値と進度が数値で表示される。進度は現在の目標値と現在の実績値の差である。縫製装置毎に最終的な目標値が異なる時、管理者は表示部が表示する現在の実績値と進度から目標値に対する実績の進み又は遅れの度合いを複数の縫製装置について定量的に把握することが困難である。
【０００５】
本発明の目的は管理者が複数の縫製装置の各々について目標値に対する実績の進み又は遅れの度合いを容易に把握可能な情報処理装置、情報処理システム、情報処理方法を提供することである。
【課題を解決するための手段】
【０００６】
本発明の第一態様の情報処理装置は、縫製装置による縫製作業の進捗を示す進捗情報を送信可能な複数の端末装置と通信可能な通信部と、各種情報を記憶可能な記憶装置と、制御部とを備え、複数の前記縫製装置の各々について、前記進捗情報を処理する情報処理装置において、前記制御部は、前記複数の縫製装置の各々について、前記縫製装置を識別する識別情報と、前記縫製装置が稼働する作業時間と、前記縫製装置が前記作業時間内に行う縫製作業の量を示す最終目標値とを関連付けて前記記憶装置に記憶する第一記憶制御手段と、前記複数の縫製装置の各々に対応する前記複数の端末装置から、前記識別情報と、前記進捗情報とを前記通信部を介して受信する受信手段と、前記進捗情報と、前記進捗情報を取得した時刻を示す時刻情報とを、前記識別情報に関連付けて前記記憶装置に記憶する第二記憶制御手段と、第一表示要求を取得する第一取得手段と、前記第一取得手段が取得した前記第一表示要求の取得に応じて、前記複数の縫製装置の各々についての、前記進捗情報に基づく現在の縫製作業の量である現在縫製量と、現在時刻、前記最終目標値、及び前記作業時間に基づく、前記縫製装置が前記作業時間の内の前記現在時刻までの期間に行う縫製作業の量を示す現在目標値と、前記現在縫製量、及び前記現在目標値に基づいて特定される現在達成率と、前記最終目標値を示す値との少なくとも一方とを含む表示項目を表示部に表示する表示制御手段として機能する。
【０００７】
第一態様の情報処理装置は、縫製装置毎に識別情報、作業時間、最終目標値を関連づけて記憶できる。情報処理装置は、現在達成率と最終目標値を示す値との少なくとも一方、現在縫製量、現在目標値を表示部に表示できる。管理者は、縫製装置毎に最終目標値が異なる時、現在縫製量と現在目標値に因り縫製作業の目標値に対する実績の進み又は遅れの度合いを容易に把握できる。表示部が現在達成率を表示する時、管理者は自分で計算せずに現在達成率を把握できる。表示部が最終目標値を示す値を表示する時、管理者は最終目標値に対する現在縫製量を把握できる。端末装置は、縫製装置と一体であっても、別体であってもよい。
【０００８】
第一態様の情報処理装置の前記制御部は更に、前記現在達成率と、前記最終目標値との少なくとも一方を表示することを要求する項目要求を取得する項目要求取得手段として機能し、前記表示制御手段は、前記項目要求取得手段が取得した前記項目要求に応じた、前記現在達成率と、前記最終目標値との少なくとも一方を含む前記表示項目を前記表示部に表示してもよい。該情報処理装置は項目要求に応じた表示項目を表示部に表示できる。管理者は要求した表示項目のみを表示部で確認できる。
【０００９】
第一態様の情報処理装置の前記制御部は更に、前記識別情報を含む第二表示要求を取得する第二取得手段と、前記第二取得手段が取得した前記第二表示要求の取得に応じて、前記第二表示要求が含む前記識別情報に対応する前記進捗情報と前記時刻情報とを、前記記憶装置から取得する第三取得手段として機能し、前記表示制御手段は、前記第二取得手段が取得した前記第二表示要求の取得に応じて、前記第三取得手段が取得した前記進捗情報と前記時刻情報とに基づき、前記作業時間内の複数の期間毎に、前記進捗情報に基づく期間内の縫製作業の量である期間縫製量と、前記期間、前記最終目標値、及び前記作業時間に基づく、前記縫製装置が前記期間内に行う縫製作業の量を示す期間目標値と、前記期間縫製量、及び前記期間目標値に基づいて特定される期間達成率と、前記最終目標値を示す値との少なくとも一方とを含む前記表示項目を前記表示部に表示してもよい。該情報処理装置は識別情報で示す縫製装置の複数の期間縫製量の推移を表示部に表示できる。管理者は表示部を参照して、識別情報で示す縫製装置の複数の期間縫製量の推移を把握でき、例えば、縫製作業に遅延が生じた期間を特定できる
【００１０】
第一態様の情報処理装置において前記表示制御手段は、前記第二取得手段が取得した前記第二表示要求の取得に応じて、前記期間達成率と前記最終目標値を示す値との少なくとも一方と、前記期間縫製量と、前記期間目標値とを含む前記表示項目を前記作業時間と、前記作業時間外とで異なる態様で前記表示部に表示してもよい。該情報処理装置は形式要求に応じた表示形式で表示項目を表示部に表示できる。管理者は縫製装置の作業時間と休憩時間等の作業時間外とを容易に区別できる。
【００１１】
第一態様の情報処理装置の前記制御部は更に、前記表示項目をグラフと表との何れかで表示することを要求する形式要求を取得する形式要求取得手段として機能し、前記表示制御手段は、前記形式要求取得手段が取得した前記形式要求に応じた表示形式で、前記表示項目を前記表示部に表示してもよい。該情報処理装置は管理者が要求する表示形式で表示項目を表示できる。管理者は必要に応じて表示形式を切り替えることができる。
【００１２】
第二態様の情報処理システムは、縫製装置による縫製作業の進捗を示す進捗情報を送信可能な複数の端末装置と、第一態様の情報処理装置とを備える。第二態様の情報処理システムは第一態様の情報処理装置と同様の作用効果を奏する。
【００１３】
第三態様の情報処理方法は、縫製装置による縫製作業の進捗を示す進捗情報を送信可能な複数の端末装置と通信可能な通信部と、各種情報を記憶可能な記憶装置と、制御部とを備え、複数の前記縫製装置の各々について、前記進捗情報を処理する情報処理装置が実行する情報処理方法において、前記複数の縫製装置の各々について、前記縫製装置を識別する識別情報と、前記縫製装置が稼働する作業時間と、前記縫製装置が前記作業時間内に行う縫製作業の量を示す最終目標値とを関連付けて前記記憶装置に記憶する第一記憶制御工程と、前記複数の縫製装置の各々に対応する前記複数の端末装置から、前記識別情報と、前記進捗情報とを前記通信部を介して受信する受信工程と、前記進捗情報と、前記進捗情報を取得した時刻を示す時刻情報とを、前記識別情報に関連付けて前記記憶装置に記憶する第二記憶制御工程と、表示要求を取得する取得工程と、前記取得工程での前記表示要求の取得に応じて、前記複数の縫製装置の各々についての、前記進捗情報に基づく現在の縫製作業の量である現在縫製量と、現在時刻、前記最終目標値、及び前記作業時間に基づく、前記縫製装置が前記作業時間の内の前記現在時刻までの期間に行う縫製作業の量を示す現在目標値と、前記現在縫製量、及び前記現在目標値に基づいて特定される現在達成率と、前記最終目標値を示す値との少なくとも一方とを含む表示項目を表示部に表示する表示制御工程とを備える。第三態様の情報処理方法は第一態様の情報処理装置と同様の作用効果を奏する。
【図面の簡単な説明】
【００１４】
【図１】情報処理システム１のシステム構成、情報処理装置２と縫製装置３の電気的構成を示すブロック図。
【図２】縫製装置３が送信する進捗情報と情報処理装置２が記憶する情報の説明図。
【図３】コードと内容の対応を記憶するテーブル８８の説明図。
【図４】ＬＣＤ２７が表示する装置管理画面６０の説明図。
【図５】ＬＣＤ２７が表示する目標管理画面８０の説明図。
【図６】ＬＣＤ２７が表示する工場管理画面７０の説明図。
【図７】完了枚数取得処理の流れ図。
【図８】応答処理の流れ図。
【図９】生産状況表示処理の流れ図。
【図１０】生産状況をグラフ表示する第一グラフ表示画面９０の説明図。
【図１１】生産状況をリスト表示する第一リスト表示画面９５の説明図。
【図１２】図８の応答処理で実行する特定装置表示処理の流れ図。
【図１３】特定装置の生産状況をグラフ表示する第二グラフ表示画面１１０の説明図。
【図１４】特定装置の生産状況をリスト表示する第二リスト表示画面１１５の説明図。
【図１５】図８の応答処理で実行する表示設定変更処理の流れ図。
【図１６】表示設定変更画面１３０の説明図。
【発明を実施するための形態】
【００１５】
図１を参照し、情報処理システム１の概要について説明する。情報処理システム１は、情報処理装置２、縫製装置３Ａ、３Ｂ、３Ｃ、３Ｄ等（以下、総称して「縫製装置３」という。）、ＰＣ６、アクセスポイント７を備える。情報処理装置２、ＰＣ６、及びアクセスポイント７は、ＬＡＮ、ＷＡＮ等のネットワーク８に接続する。縫製装置３は、アクセスポイント７を介してネットワーク８に無線で接続する。情報処理装置２、縫製装置３、及びＰＣ６は、ネットワーク８を介して通信可能である。
【００１６】
情報処理装置２の電気的構成について説明する。情報処理装置２は、汎用のパーソナルコンピュータである。情報処理装置２は、情報処理装置２を制御するＣＰＵ２１を備える。ＣＰＵ２１は、ＲＯＭ２２、ＲＡＭ２３、記憶部２４、通信Ｉ／Ｆ２５、液晶表示装置（ＬＣＤ）２７、操作部２８、及びドライブ装置２９と、非図示のインタフェース回路を介して電気的に接続する。ＲＯＭ２２は、ブートプログラム、ＢＩＯＳ等を記憶する。ＲＡＭ２３は、タイマ、カウンタ、フラグデータ、及び一時的なデータ等を記憶する。記憶部２４はハードディスク等の不揮発性の記憶媒体である。記憶部２４は、ＣＰＵ２１が実行する処理のプログラム、ＯＳ、各種テーブルを記憶する。
【００１７】
通信Ｉ／Ｆ２５は、情報処理装置２がネットワーク８に有線接続する為のインタフェース（例えば、ＬＡＮカード等）である。但し、アクセスポイント７と接続して無線接続する為のインタフェース（例えば、Ｗｉ−Ｆｉ（登録商標）通信モジュール等）が、通信Ｉ／Ｆ２５として用いられてもよい。ＣＰＵ２１は、通信Ｉ／Ｆ２５を介してネットワーク８に接続する他の機器とデータの送受信を行う。ＣＰＵ２１は、記憶媒体３０に記憶されたプログラムをドライブ装置２９によって読み出し、記憶部２４に記憶できる。ＬＣＤ２７は、各種情報を表示できる。操作部２８は、キーボード、マウス等を含む。ドライブ装置２９は、半導体メモリ、光ディスク等の記憶媒体３０に記憶された情報を読み出すことができる。
【００１８】
縫製装置３の電気的構成について説明する。縫製装置３は、縫製装置３を制御するＣＰＵ３１を備える。ＣＰＵ３１は、ＲＯＭ３２、ＲＡＭ３３、記憶部３４、駆動回路３５、ＬＣＤ３７、操作部３８、及びＵＳＢ  Ｉ／Ｆ３９と、非図示のインタフェース回路を介して電気的に接続する。ＲＯＭ３２は、ブートプログラム等を記憶する。ＲＡＭ３３は、タイマ、カウンタ、フラグデータ、一時的なデータ、及び各種テーブル等を記憶する。記憶部３４は、フラッシュメモリ等の不揮発性の記憶媒体である。記憶部３４は、ＣＰＵ３１が実行する処理のプログラム、及び各種テーブル等を記憶する。縫製装置３は、上記全ての電気的構成を内蔵していなくてもよい。例えば、上記の電気的構成の一部は、非図示のインタフェースを介して縫製装置３外部に接続してもよい。この場合、縫製装置３内部に設けられた電気的構成を制御する為のＣＰＵ、ＲＯＭ、ＲＡＭと、縫製装置３外部に設けられた電気的構成を制御する為のＣＰＵ、ＲＯＭ、ＲＡＭとが、個別に設けられてもよい。
【００１９】
駆動回路３５は、ＣＰＵ３１が出力する信号に応じて上軸モータ３６Ａ及び布送りモータ３６Ｂを駆動し、加工布を縫製する。上軸モータ３６Ａは、非図示の針棒に接続した縫針を上下に往復移動する。布送りモータ３６Ｂは、非図示の布送り機構を前後方向に移動する。ＬＣＤ３７は、縫製に関する各種情報を表示できる。操作部３８は、非図示のペダル、操作キー、タッチパネル等を含む。ＵＳＢ  Ｉ／Ｆ３９は、ＵＳＢを介して縫製装置３に機器を接続する為のインタフェースである。ＣＰＵ３１は、ＵＳＢを介して接続された機器との間でＵＳＢ  Ｉ／Ｆ３９を介してデータを送受信する。
【００２０】
リムーバブルメディア５は、ＵＳＢを介して縫製装置３に接続する。リムーバブルメディア５は、通信デバイス５１、記憶部５２、及び制御部５３を有する。通信デバイス５１は、アクセスポイント７と接続して無線通信を行う為のインタフェース（例えば、Ｗｉ−Ｆｉ（登録商標）通信モジュール等）である。ＣＰＵ３１は、リムーバブルメディア５が縫製装置３に接続された状態で、記憶部５２を読み出し及び書き込みが可能な記憶媒体として認識する。記憶部５２は、送信領域を備える。ＣＰＵ３１は、縫製装置３の進捗情報を記憶部３４に書き込む。ＣＰＵ３１は、記憶部３４に保存された進捗情報を、所定のタイミング（例えば、１分間隔）で、記憶部５２の送信領域に書き込み、記憶部３４に保存された進捗情報を削除する。制御部５３は、記憶部５２の送信領域に進捗情報が保存されたことに応じて、通信デバイス５１を介して進捗情報を送信し、送信領域の進捗情報を削除する。
【００２１】
図２を参照し情報処理システム１の処理の概要を説明する。情報処理システム１は、複数の縫製装置３の各々の、縫製作業の進捗を示す進捗情報を情報処理装置２にて管理する。リムーバブルメディア５の制御部５３は、所定のタイミングで対応する縫製装置３の進捗情報を通信デバイス５１を介して所定のプロトコル（例えば、ＨＴＴＰ）によって情報処理装置２に送信する。制御部５３は、所定時間毎に送信領域が記憶する進捗情報を含むデータを情報処理装置２に送信する。制御部５３は、情報処理装置２に送信するデータ（テキスト形式のログファイル）のファイル名を「機種名＿製造番号＿データ番号．ｔｘｔ」と設定する。機種名、製造番号は記憶部３４が記憶する情報に基づきＣＰＵ３１が記憶部５２に書き込んだデータである。データ番号はデータの送信順序を表す数字である。該データ番号に因り、ファイルを受信した情報処理装置２はファイルの送信順序及び送信時刻を予測できる。進捗情報は所定時間内の縫製装置３の縫製作業の進捗を示す情報である。進捗情報は、例えば、所定のコードで表される。縫製装置３の記憶部３４と情報処理装置２の記憶部２４は各々、図３のテーブル８８を記憶する。テーブル８８は縫製装置３がリムーバブルメディア５を介して情報処理装置２に送信するコードと内容とを対応付ける。コードはアルファベットや数字を含む文字列である。内容はコードが示す縫製装置３の稼働状態を示す。例えば、コードがＸ０３である時、縫製装置３は縫製中である。情報処理システム１は複数種類のコードの内のコードがＣＴ１、Ｎである情報を進捗情報とする。縫製装置３は、リムーバブルメディア５を介して情報処理装置２に進捗情報以外のコードも送信する。縫製装置３は進捗情報のみを情報処理装置２に送信してもよい。縫製装置３のＣＰＵ３１は縫製量に応じてＮを加算して、情報処理装置２に通知する。縫製量は例えば加工物の枚数である。縫製量は針数、縫目の長さ、ボタン等の縫い付け数等、他の指標で表してもよい。
【００２２】
情報処理装置２は、複数の縫製装置３の各々について、識別情報と、作業時間と、最終目標値とを関連付けて記憶部２４に記憶する。識別情報は、縫製装置３を識別する為のものである。作業時間は、一日の中で、縫製装置３が稼働する時間である。最終目標値は、縫製装置３が作業時間内に行う縫製作業の量を示す。詳細には記憶部２４は、装置記憶エリア２４１、作業時間記憶エリア２４２を備える。装置記憶エリア２４１は、複数の縫製装置３の各々の製造番号、機種、工場、最終目標値及び現在縫製量を含む情報を記憶する。縫製装置３は製造番号を識別情報として用いる。管理者は装置記憶エリア２４１が記憶する情報を図４に示す装置管理画面６０にて確認、編集できる。ＣＰＵ２１は管理者が画面右上の管理者メニュー７６の内の所定の一つを選択した時に装置管理画面６０を表示する。装置管理画面６０は、装置記憶エリア２４１に登録した縫製装置３の各々の工場６１、ライン６２、機種６３、製造番号６４、装置名６５、説明６６、編集キー６７、検索欄６８を表示する。工場６１とライン６２は、縫製装置３が設置される工場名とライン名を示す。機種６３は縫製装置３の種類を識別する機種名を示す。製造番号６４は縫製装置３に固有の製造番号を示す。情報処理装置２は機種６３と製造番号６４を縫製装置３が通知する情報（例えば、縫製装置３から受信するデータのファイル名）に因り設定する。装置名６５は他の装置と区別する為の名称を示す。情報処理装置２は、該縫製装置３を表す装置名の初期値として製造番号を自動的に設定する。説明６６はユーザが縫製装置３に関して追加した情報を示す。ユーザは編集キー６７を選択することで情報処理装置２が設定した装置名６５と説明６６を適宜変更できる。管理者は、検索欄６８を用いて所定条件を満たす縫製装置３を検索できる。
【００２３】
管理者は、図５の目標管理画面８０で最終目標値として縫製装置３毎の一日の当たりの目標枚数を設定できる。ＣＰＵ２１は管理者が画面右上の管理者メニュー７６の内の所定の一つを選択した時に目標管理画面８０を表示する。目標管理画面８０は装置管理画面６０と同様の工場６１、ライン６２、装置名６５に加え、作業者８４、加工物８５、目標枚数８６、更新キー８７を含む。作業者８４は縫製装置３の作業者を識別する情報を示す。加工物８５は縫製装置３が加工する対象を示す。目標枚数８６は縫製装置３が加工する加工物８５の一日当たりの目標枚数を記憶する。管理者は更新キー８７を選択することで作業者８４、加工物８５、目標枚数８６を変更できる。
【００２４】
図２に示すように、作業時間記憶エリア２４２は工場毎の稼働時間と休憩時間を記憶する。縫製装置３の作業時間は、稼働時間から休憩時間を差し引いた値である。即ち、作業時間記憶エリア２４２は、稼働時間及び休憩時間を用いて、間接的に作業時間を記憶する。勿論、作業時間記憶エリア２４２は、作業時間そのものを記憶してもよい。ＣＰＵ２１は装置記憶エリア２４１が記憶する工場名と作業時間記憶エリア２４２が記憶する作業時間から縫製装置３毎の作業時間を特定できる。管理者は図６の工場管理画面７０で工場毎に稼働時間、休憩時間を設定できる。ＣＰＵ２１は管理者が画面右上の管理者メニュー７６の内の所定の一つを選択した時に工場管理画面７０を表示する。工場管理画面７０は欄７１〜７５を含む。欄７１は情報編集の対象となる工場名を示す欄である。欄７２は欄７１で示す工場の稼働時間の開始時刻と終了時刻とを２４時間単位で示す欄である。欄７３〜７５は稼働時間中の休憩時間の開始時刻と終了時刻とを示す欄である。情報処理装置２は休憩時間を稼働時間内に３回以上設定可能としてもよい。工場管理画面７０はＢ工場の稼働時間は９時から１８時までであり、休憩時間は１２時から１３時であることを示している。管理者は欄７１〜７５に示される値を変更することで、工場毎に稼働時間、休憩時間を変更できる。
【００２５】
情報処理装置２は複数の縫製装置３の各々に対応する複数のリムーバブルメディア５から、識別情報と、進捗情報とを通信Ｉ／Ｆ２５を介して受信する。情報処理装置２は、進捗情報と、進捗情報を取得した時刻を示す時刻情報とを、識別情報に関連付けて記憶部２４に記憶する。詳細には記憶部２４はログファイル記憶エリア２４３を備える。時刻情報は進捗情報を取得した時刻を示す情報であればよく、例えばテキスト形式のログファイルの受信時刻である。ログファイル記憶エリア２４３は、進捗情報を含むログファイルと進捗情報の受信時刻を対応付けて記憶する。縫製装置３の識別情報はログファイルのファイル名に含まれる。ログファイル記憶エリア２４３は、進捗情報を含まないログファイルも受信時刻と対応付けて記憶する。ログファイル記憶エリア２４３は、進捗情報を含まないログファイルは記憶しなくてもよい。情報処理装置２は受信したログファイルをログファイルとして記憶する処理に変えて、ログファイルが含むデータを、ログデータとして記憶してもよい。時刻情報は、ログファイルの受信時刻であってもよいし、ログファイル送信時刻であってもよいし、縫製装置３がコードを生成、記憶した時刻であってもよい。
【００２６】
ＣＰＵ２１は第一表示要求を取得した時、複数の縫製装置３の各々についての現在達成率と、最終目標値を示す値との少なくとも一方、現在縫製量、現在目標値を含む表示項目２４４をＬＣＤ２７に表示する。現在縫製量は進捗情報に基づく現在の縫製作業の量である。現在縫製量は縫製を完了した加工物の枚数で表す数値である。現在目標値は現在時刻、最終目標値、作業時間に基づく、縫製装置３が作業開始時刻から現在時刻までの期間に行う目標となる縫製作業の量を示す。現在目標値は加工物の枚数を表す数値である。
【００２７】
情報処理装置２０が実行する完了枚数取得処理と応答処理を順に説明する。図７を参照し完了枚数取得処理を説明する。情報処理装置２の起動時、ＣＰＵ２１はＲＯＭ２２又は記憶部２４からプログラムを読み出し、プログラムが含む指示に従い完了枚数取得処理を実行する。図７に示す如く完了枚数取得処理ではＣＰＵ２１は完了枚数を受信したかを判断する（Ｓ１）。ＣＰＵ２１はコード「ＣＴ１」を含むログファイル受信時に完了枚数を受信したと判断する。完了枚数受信時（Ｓ１：ＹＥＳ）、ＣＰＵ２１は該完了枚数を記憶部２４に記憶する（Ｓ２）。ＣＰＵ２１は装置記憶エリア２４１の現在縫製量を更新する。なお、単一のログファイルに複数のコード「ＣＴ１」が含まれる場合、ＣＰＵ２１は、複数のコード「ＣＴ１」のそれぞれに対して、現在縫製量の更新を行う。完了枚数未受信時（Ｓ１：ＮＯ）、又はＳ２の次にＣＰＵ２１は表示更新時期かを判断する（Ｓ３）。ＣＰＵ２１は前回表示更新後所定時間（例えば１０秒）経過時に表示更新時期であると判断する。更新頻度を定める所定時間は管理者が設定できてもよいし、ＣＰＵ２１が自動で設定（例えば、初期値）してもよい。表示更新時期ではない時（Ｓ３：ＮＯ）、ＣＰＵ２１は処理をＳ１に戻す。表示更新時期である時（Ｓ３：ＹＥＳ）、ＣＰＵ２１は現時点での目標枚数を算出する（Ｓ４）。現時点での目標枚数は最終目標数に現在までの作業時間を乗じ、一日の作業時間で除した値である（小数点以下切り捨て）。ＣＰＵ２１はＬＣＤ２７が表示する表示項目を最新の情報に更新する（Ｓ５）。ＣＰＵ２１は処理をＳ１に戻す。
【００２８】
図８を参照し応答処理を説明する。情報処理装置２が起動すると、ＣＰＵ２１はＲＯＭ２２又は記憶部２４からプログラムを読み出し、プログラムが含む指示に従い応答処理を実行する。図８に示す如く、ＣＰＵ２１は要求を取得したか否かを判断する（Ｓ１１）。管理者は各種要求を操作部２８を操作することで情報処理装置２に入力できる。要求未取得時（Ｓ１１：ＮＯ）、ＣＰＵ２１は処理をＳ１１に戻す。要求取得時（Ｓ１１：ＹＥＳ）、ＣＰＵ２１はＳ１１の処理で取得した要求が生産状況表示であるかを判断する（Ｓ１２）。生産状況表示は情報処理装置２が管理する特定の工場の縫製装置３の進捗情報に基づき表示項目をＬＣＤ２７に表示する要求である。要求が生産状況表示である時（Ｓ１２：ＹＥＳ）、ＣＰＵ２１は後述の生産状況表示処理を実行し（Ｓ１６）、処理をＳ１１に戻す。要求が生産状況表示処理でない時（Ｓ１２：ＮＯ）、ＣＰＵ２１は要求が特定装置表示であるかを判断する（Ｓ１３）。特定装置表示は、複数の縫製装置３の内、要求が含む識別情報で特定される縫製装置３の進捗情報に基づき、表示項目を表示する要求である。
【００２９】
要求が特定装置表示である時（Ｓ１３：ＹＥＳ）、ＣＰＵ２１は後述の特定装置表示処理を実行し（Ｓ１７）、処理をＳ１１に戻す。要求が特定装置表示でない時（Ｓ１３：ＮＯ）、ＣＰＵ２１は要求が表示設定変更であるかを判断する（Ｓ１４）。表示設定変更は表示項目又は表示形式の設定を変更する要求である。要求が表示設定変更である時（Ｓ１４：ＹＥＳ）、ＣＰＵ２１は後述の表示設定変更処理を実行し（Ｓ１８）、処理をＳ１１に戻す。要求が表示設定変更でない時（Ｓ１４：ＮＯ）、ＣＰＵ２１は要求が表示条件変更であるかを判断する（Ｓ１５）。表示条件変更は縫製装置に関する情報、作業時間、最終目標値の表示設定を変更する要求である。管理者は管理画面６０、７０、８０から表示条件変更要求を入力できる。要求が表示条件変更である時（Ｓ１５：ＹＥＳ）、ＣＰＵ２１は表示条件変更処理を実行し（Ｓ１９）、処理をＳ１１に戻す。要求が縫製装置に関する情報、最終目標値の表示設定を変更する要求である時、ＣＰＵ２１は変更対象となる条件を特定し、装置記憶エリア２４１が記憶する項目の内の、特定した項目を管理者が指定する条件に更新する。要求が作業時間を変更する要求である時、ＣＰＵ２１は変更対象となる項目を特定し、作業時間記憶エリア２４２が記憶する項目の内の、特定した項目を管理者が指定する条件で更新する。要求が表示条件変更でない時（Ｓ１５：ＮＯ）、ＣＰＵ２１は要求の種類に応じた他の処理を実行し（Ｓ２０）、処理をＳ１１に戻す。
【００３０】
管理者は例えば図４の装置管理画面６０の生産状況タブ６９で表示対象となる工場を選択することで、生産状況表示要求を入力できる。現在時刻が１６時３４分である時に、ＣＰＵ２１がＢ工場に関する生産状況表示要求を取得した時（Ｓ１１：ＹＥＳ、Ｓ１２：ＹＥＳ）、図９に示す如く、ＣＰＵ２１は生産状況表示処理で変数Ｎに１を設定する（Ｓ２１）。変数Ｎは表示対象となる縫製装置３を順に特定する為の変数である。記憶部２４は工場毎の縫製装置３の登録順序を記憶する。ＣＰＵ２１は表示対象の工場の縫製装置３を登録順に縫製装置３を読み出す。ＣＰＵ２１は装置記憶エリア２４１を参照しＮ番目の縫製装置３の現在縫製量Ａ（Ｎ）を取得する（Ｓ２２）。ＣＰＵ２１は例えば識別番号がＥ００３の縫製装置３の現在縫製量として８５枚を取得する。ＣＰＵ２１は図２の装置記憶エリア２４１を参照し最終目標値Ｂ（Ｎ）を取得する（Ｓ２３）。ＣＰＵ２１は例えば識別番号がＥ００３の縫製装置３の最終目標値として１００枚を取得する。
【００３１】
ＣＰＵ２１は現在目標値Ｃ（Ｎ）を計算する（Ｓ２４）。現在目標値Ｃ（Ｎ）は最終目標値Ｂ（Ｎ）に現在までの作業時間を乗じ、一日の予定作業時間で除した値である。例えば識別番号がＥ００３の縫製装置３では最終目標値が１００であり、現在までの作業時間が６時間３４分であり、一日の作業時間が８時間である。故にＣＰＵ２１は識別番号がＥ００３の縫製装置３の現在目標値Ｃ（Ｎ）を８２枚と計算する。
【００３２】
ＣＰＵ２１はＮ番目の縫製装置３の現在達成率Ｄ（Ｎ）を計算する（Ｓ２５）。現在達成率Ｄ（Ｎ）は現在縫製量Ａ（Ｎ）を現在目標値Ｃ（Ｎ）で除した値である。ＣＰＵ２１は例えば識別番号がＥ００３の縫製装置３の現在達成率として１０４％を算出する。ＣＰＵ２１は変数Ｎが最後であるかを判断する（Ｓ２６）。変数Ｎが最後でない時（Ｓ２６：ＮＯ）、ＣＰＵ２１は変数Ｎに１だけ加算し（Ｓ２７）、処理をＳ２２に戻す。変数Ｎが最後である時（Ｓ２６：ＹＥＳ）、ＣＰＵ２１は表示項目として現在達成率と最終目標値を示す値との一方が選択されているかを判断する（Ｓ２８）。管理者は図１５を参照して後述する表示設定変更処理で表示項目の設定を変更可能である。記憶部２４は表示設定変更処理で設定した又は初期設定の表示項目を記憶する。ＣＰＵ２１は記憶部２４を参照して表示項目から現在達成率と最終目標値を示す値との一方を選択するか、言い換えれば、他方を除外するかを判断する。
【００３３】
現在達成率と最終目標値を示す値との一方を選択する時（Ｓ２８：ＹＥＳ）、ＣＰＵ２１は選択していない他方を表示項目から除外する（Ｓ２９）。現在達成率と最終目標値を示す値との両方を選択したとき（Ｓ２８：ＮＯ）、又はＳ２９の処理の次に、ＣＰＵ２１は表示形式がグラフ表示かを判断する（Ｓ３０）。管理者は後述の表示設定変更処理（図１５）で表示形式の設定を変更可能である。表示形式はグラフ表示又はリスト（表）表示である。記憶部２４は表示設定変更処理で設定した又は初期の表示形式を記憶する。ＣＰＵ２１は記憶部２４を参照して表示形式がグラフ表示であるかを判断する。
【００３４】
表示形式がグラフ表示に設定されている時（Ｓ３０：ＹＥＳ）、ＣＰＵ２１は表示項目をグラフ表示する（Ｓ３１）。現在達成率と最終目標値を示す値との一方を選択せず（Ｓ２８：ＮＯ）、表示形式がグラフ表示に設定されている時（Ｓ３０：ＹＥＳ）、ＣＰＵ２１は図１０に例示する第一グラフ表示画面９０をＬＣＤ２７に表示する。第一グラフ表示画面９０はグラフ９１と出力キー９２を含む。グラフ９１は縫製装置３毎に目標枚数、縫製枚数、本日の目標枚数、達成率を表示する。ＣＰＵ２１は現在目標値Ｃ（Ｎ）を目標枚数、現在縫製量Ａ（Ｎ）を縫製枚数、最終目標値Ｂ（Ｎ）を本日の目標枚数、現在達成率Ｄ（Ｎ）を達成率に設定する。グラフ９１の横軸は縫製装置３の装置名を示す。左側の縦軸は達成率を示す。右側の縦軸は枚数を示す。出力キー９２は縫製装置３毎に現在縫製量Ａ（Ｎ）、最終目標値Ｂ（Ｎ）、現在目標値Ｃ（Ｎ）、現在達成率Ｄ（Ｎ）を所定のファイル形式（例えば、ＣＳＶ形式）で出力することを要求するキーである。管理者が出力キー９２を選択した時、ＣＰＵ２１は非図示の処理によって、各情報をＣＳＶ形式で出力する。ＣＳＶ形式のデータには、グラフ９１を作成する為の数値データが含まれてもよい。
【００３５】
表示形式がグラフ表示に設定されていない時（Ｓ３０：ＮＯ）、ＣＰＵ２１は表示項目をリスト表示する（Ｓ３２）。具体例で表示項目の内最終目標枚数が表示項目から除外され（Ｓ２８：ＹＥＳ、Ｓ２９）、グラフ表示ではない時（Ｓ３０：ＮＯ）、ＣＰＵ２１は図１１に例示する第一リスト表示画面９５をＬＣＤ２７に表示する。第一リスト表示画面９５はリスト９６、検索欄１０２を含む。リスト９６は順番９７、装置名６５、機種６３、目標枚数９９、縫製枚数１００、達成率１０１を含む。順番９７は変数Ｎに対応する登録順序を示す。ＣＰＵ２１は現在目標値Ｃ（Ｎ）を目標枚数９９、現在縫製量Ａ（Ｎ）を縫製枚数１００、Ｄ（Ｎ）を達成率１０１に設定する。表示項目が最終目標枚数を含む時、ＣＰＵ２１は最終目標値Ｂ（Ｎ）を本日の目標枚数としてリスト９６に加える。管理者は検索欄１０２を用いて所定条件を満たす縫製装置３を検索できる。Ｓ３１又はＳ３２の処理の次にＣＰＵ２１は以上で生産状況表示処理を終了し、処理を応答処理に戻す。
【００３６】
管理者は図１０の第一グラフ表示画面９０の装置名又は図１１の第一リスト表示画面９５の装置名６５を選択することで、特定装置表示要求を入力できる。現在時刻が１６時３４分である時に、装置名がＡ２−３であり、識別情報（即ち、製造番号）がＥ００３である縫製装置３についての特定装置表示要求を取得した時（Ｓ１１：ＹＥＳ、Ｓ１２：ＮＯ、Ｓ１３：ＹＥＳ）、図１２に示す如く、ＣＰＵ２１はログファイル記憶エリア２４３を参照し、特定装置表示要求が含む識別情報で示す縫製装置３のログファイルを取得する（Ｓ４１）。ＣＰＵ２１は変数Ｋに１を設定する（Ｓ４２）。変数Ｋは識別情報で示す縫製装置３のログファイルの内、所定期間のログファイルを取得する為の変数である。本例では所定期間を所定開始時刻（例えば、６時）から１時間単位で設定する。ＣＰＵ２１は、記憶部２４の作業時間記憶エリア２４２を参照し、変数Ｋの期間が属性設定ありの期間か否かを判断する（Ｓ４３）。ＣＰＵ２１は変数Ｋの期間が休憩時間中になる場合に属性設定ありのデータと判断する。具体例の作業時間記憶エリア２４２が記憶する休憩時間は１２時から１３時である。故にＣＰＵ２１は変数Ｋの期間が１２時から１３時の場合、属性設定有りと判断する。属性設定有りの時（Ｓ４３：ＹＥＳ）、ＣＰＵ２１は変数Ｋの期間の背景色を設定する（Ｓ４４）。ＣＰＵ２１は属性設定が有る期間の表示と、属性設定がない期間の表示とで表示態様を変える。ＣＰＵ２１は具体的には両者の表示の背景色を異なる色にする。ＣＰＵ２１は属性設定有りの期間の背景色に所定の色（例えば、灰色）を設定する。ＣＰＵ２１は属性設定がない時（Ｓ４３：ＮＯ）、又はＳ４４の次に、ＣＰＵ２１は変数Ｋの期間の期間縫製量Ａ（Ｋ）を取得する（Ｓ４５）。具体的には、ＣＰＵ２１は、記憶部２４のログファイル記憶エリア２４３を参照し、変数Ｋの期間において受信されたログファイルを特定する。そして、ＣＰＵ２１は、特定されたログファイルに含まれる進捗情報（即ち、コード「ＣＴ１、Ｎ」）の数を、変数Ｋの期間の期間縫製量Ａ（Ｋ）として取得する。例えば、変数Ｋが４の時、ＣＰＵ２１は９時から１０時の完了枚数１３を取得する。
【００３７】
ＣＰＵ２１は変数Ｋの期間における期間目標値Ｃ（Ｋ）を計算する（Ｓ４６）。具体例では１時間の期間目標値を計算する。製造番号がＥ００３の最終目標値は１００であり、一日当たりの作業時間は８時間であるので、ＣＰＵ２１は期間目標値を１２．５と計算する。ＣＰＵ２１は所定期間内の達成率である期間達成率Ｄ（Ｋ）を計算する（Ｓ４７）。ＣＰＵ２１は具体例では期間縫製量Ａ（Ｋ）を期間目標値Ｃ（Ｋ）で除して１０４％と計算する。ＣＰＵ２１は変数Ｋの期間が最後の期間であるかを判断する（Ｓ４８）。ＣＰＵ２１は例えば記憶部２４が記憶する１９時から２０時までの期間を最後の期間とする。最後でない時（Ｓ４８：ＮＯ）、ＣＰＵ２１は変数Ｋに１加算し（Ｓ５４）、処理をＳ４３に戻す。最後である時（Ｓ４８：ＹＥＳ）、ＣＰＵ２１は表示項目として変数Ｋの期間毎の期間達成率Ｄ（Ｋ）と最終目標値を示す値との一方を選択するかを判断する（Ｓ４９）。管理者は表示設定変更処理で表示項目の設定を変更可能である。記憶部２４は表示設定変更処理で設定した又は初期設定の表示項目を記憶する。ＣＰＵ２１は記憶部２４を参照して表示項目から変数Ｋの期間毎の期間達成率Ｄ（Ｋ）と最終目標値を示す値との一方を選択するかを判断する。期間達成率Ｄ（Ｋ）と最終目標値を示す値との一方を選択するとき（Ｓ４９：ＹＥＳ）、ＣＰＵ２１は記憶部２４が記憶する選択していない他方を表示項目から除外する（Ｓ５０）。期間達成率Ｄ（Ｋ）と最終目標値を示す値との両方を選択した時（Ｓ４９：ＮＯ）、又はＳ２９の処理の次に、ＣＰＵ２１はＳ３０と同様に、表示形式がグラフ表示に設定されているかを判断する（Ｓ５１）。
【００３８】
表示形式がグラフ表示に設定されている時（Ｓ５１：ＹＥＳ）、ＣＰＵ２１は表示項目をグラフ表示する（Ｓ５２）。具体例で期間達成率Ｄ（Ｋ）と最終目標値を示す値との一方を選択せず（Ｓ４９：ＮＯ）、表示形式がグラフ表示に設定されている時（Ｓ５１：ＹＥＳ）、ＣＰＵ２１は図１３の第二グラフ表示画面１１０をＬＣＤ２７に表示中の画面の前面に表示する。第二グラフ表示画面１１０はグラフ１１１、表示欄１１２、切替キー１１３を含む。グラフ１１１は所定期間毎に目標枚数、縫製枚数、達成率を表示する。ＣＰＵ２１はＣ（Ｋ）を目標枚数として、Ａ（Ｋ）を縫製枚数として、Ｄ（Ｋ）を達成率として、それぞれ表示する。グラフ１１１の横軸は時刻を示す。左側の縦軸は達成率を示す。右側の縦軸は枚数を示す。表示欄１１２は縫製装置３の最終目標値を表示する。切替キー１１３は横軸の時刻を１２時間表示とするか２４時間表示とするかの切り替えを要求するキーである。管理者が切替キー１１３を選択した時、ＣＰＵ２１は非図示の処理によって、横軸の時刻の表示方法を切り替える。
【００３９】
表示形式がグラフ表示に設定されていない時（Ｓ５１：ＮＯ）、ＣＰＵ２１は表示項目をリスト表示する（Ｓ５３）。具体例で最終目標値を示す値を選択せず（Ｓ４９：ＮＯ）、表示形式がグラフ表示でない時（Ｓ５１：ＹＥＳ）、ＣＰＵ２１は図１４に例示する第二リスト表示画面１１５をＬＣＤ２７に表示する。第二リスト表示画面１１５はリスト１１６、切替キー１１７を含む。リスト１１６は順番１１８、期間１１９、目標枚数１２０、縫製枚数１２１、達成率１２２を含む。順番１１８は変数Ｋに対応する期間の順序を示す。期間１１９は期間の開始時刻から終了時刻を示す。ＣＰＵ２１は期間目標値Ｃ（Ｋ）を目標枚数１２０に表示し、期間縫製量Ａ（Ｋ）を縫製枚数１２１に表示し、期間達成率Ｄ（Ｋ）を達成率１２２に表示する。切替キー１１７は期間１１９の時刻を１２時間表示とするか２４時間表示とするか切り替える要求するキーである。管理者が切替キー１１７を選択した時、ＣＰＵ２１は非図示の処理によって、期間１１９の時刻の表示方法を切り替える。Ｓ３１又はＳ３２の処理の次にＣＰＵ２１は以上で特定装置表示処理を終了し、処理を応答処理に戻す。
【００４０】
管理者は図１６の表示設定変更画面１３０の設定キー１３１を選択することで表示設定変更要求を入力できる。表示設定変更画面１３０は選択欄１３２〜１３４を含む。選択欄１３２は表示形式をグラフ又はリストに設定する。選択欄１３３は達成率を表示するかを選択する。選択欄１３４は本日の目標枚数を表示するかを選択する。選択欄１３３、１３４はチェックリスト形式で入力する欄であり、チェックが入っている時、当該欄の項目を表示することを示す。表示設定変更要求を取得した時（Ｓ１１：ＹＥＳ、Ｓ１２：ＮＯ、Ｓ１３：ＮＯ、Ｓ１４：ＹＥＳ）、ＣＰＵ２１は図１５に示す表示設定変更処理を実行する。ＣＰＵ２１は要求が含む表示形式を取得し、記憶する（Ｓ６１）。ＣＰＵ２１は具体例では表示形式としてグラフを記憶する。ＣＰＵ２１は、表示項目を取得し、記憶する（Ｓ６２）。ＣＰＵ２１は具体例では表示項目に達成率と本日の目標枚数を含むことを記憶する。ＣＰＵ２１は以上で表示設定変更処理を終了し、処理を応答処理に戻す。
【００４１】
縫製装置３、情報処理装置２、通信Ｉ／Ｆ２５、記憶部２４、ＣＰＵ２１は各々、本発明の縫製装置、情報処理装置、通信部、記憶装置、制御部の一例である。Ｓ１９の処理を実行するＣＰＵ２１は本発明の第一記憶制御手段の一例である。Ｓ１９の処理は本発明の第一記憶制御工程の一例である。Ｓ１の処理を実行するＣＰＵ２１は本発明の受信手段の一例である。Ｓ１の処理は本発明の受信工程の一例である。Ｓ２の処理を実行するＣＰＵ２１は本発明の第二記憶制御手段の一例である。Ｓ２の処理は本発明の第二記憶制御工程の一例である。Ｓ１１、Ｓ１２の処理を実行するＣＰＵ２１は本発明の第一取得手段の一例である。Ｓ１１、Ｓ１２の処理は本発明の取得工程の一例である。Ｓ１６、Ｓ５２、Ｓ５３の処理を実行するＣＰＵ２１は本発明の表示制御手段の一例である。Ｓ１６の処理は本発明の表示制御工程の一例である。Ｓ１１、Ｓ１４の処理を実行するＣＰＵ２１は本発明の項目要求取得手段の一例である。Ｓ１１、Ｓ１３の処理を実行するＣＰＵ２１は本発明の第二取得手段の一例である。Ｓ４１の処理を実行するＣＰＵ２１は本発明の第三取得手段の一例である。Ｓ６１の処理を実行するＣＰＵ２１は本発明の形式要求取得手段の一例である。
【００４２】
情報処理システム１の情報処理装置２は、縫製装置３毎に識別情報、作業時間、最終目標値を関連づけて記憶できる。情報処理装置２は図１０の第一グラフ表示画面９０と図１１に第一リスト表示画面９５の如く、現在達成率と最終目標値を示す値との少なくとも一方、現在縫製量、現在目標値をＬＣＤ２７に表示できる。管理者は縫製装置３毎に最終目標値が異なる時、現在縫製量と現在目標値に因り縫製作業の目標値に対する実績の進み又は遅れの度合いを容易に把握できる。ＬＣＤ２７が現在達成率を表示する時、管理者はＬＣＤ２７を参照することで、自分で計算せずに現在達成率を把握でき、目標を達成する作業ペースに対して実際の縫製作業が遅れているか否かを把握できる。ＬＣＤ２７が最終目標値を示す値を表示する時、管理者は最終目標値に対する現在縫製量を把握できる。リムーバブルメディア５は縫製装置３が外部機器と通信する通信部を有しない場合であっても、縫製装置３の識別情報と進捗情報とを情報処理装置２に送信できる。
【００４３】
情報処理装置２では管理者は、図１５の表示設定変更画面１３０で現在達成率と、最終目標値との少なくとも一方を表示することを要求する項目要求を入力できる。情報処理装置２は項目要求を取得すると（Ｓ１１、Ｓ１４：ＹＥＳ）、項目要求に応じた現在達成率と、最終目標値との少なくとも一方を含む表示項目を記憶する（Ｓ６２）。生産状況表示処理では、記憶した表示項目をＬＣＤ２７に表示する（Ｓ３１、Ｓ３２）。情報処理装置２は項目要求に応じた表示項目をＬＣＤ２７に表示できる。管理者は要求した表示項目のみをＬＣＤ２７で確認できる。
【００４４】
情報処理装置２のＣＰＵ２１は、識別情報を含む特定装置表示要求を取得し（Ｓ１１、Ｓ１３：ＹＥＳ）、特定装置表示要求の取得に応じて、特定装置表示要求が含む識別情報に対応する進捗情報と時刻情報とを、記憶部２４のログファイル記憶エリア２４３から取得する（Ｓ４１）。ＣＰＵ２１は特定装置表示要求の取得に応じて、Ｓ４１で取得した進捗情報と時刻情報とに基づき、図１３の第二グラフ表示画面１１０と図１４の第二リスト表示画面１１５とに示す如く、作業時間内の複数の期間毎に、期間達成率と、最終目標値を示す値との少なくとも一方、期間縫製量、期間目標値をＬＣＤ２７に表示する。情報処理装置２は識別情報で示す縫製装置３の複数の期間縫製量の推移をＬＣＤ２７に表示できる。管理者はＬＣＤ２７を参照して、識別情報で示す縫製装置３の複数の期間縫製量の推移を把握でき、例えば、縫製作業に遅延が生じた期間を特定できる
【００４５】
情報処理装置２のＣＰＵ２１は、特定装置表示要求の取得に応じて、期間達成率と最終目標値を示す値との少なくとも一方と、期間縫製量と、期間目標値とを含む表示項目を作業時間と、作業時間外とで異なる態様でＬＣＤ２７に表示できる。図１３の第二グラフ表示画面１１０と図１４の第二リスト表示画面１１５とに示す如く、ＣＰＵ２１は作業時間内の表示項目の背景を白色とし、作業時間外の表示項目の背景を灰色とする。管理者はＬＣＤ２７が表示する表示項目を作業時間内のものと作業時間外のものとを容易に区別できる。
【００４６】
情報処理装置２のＣＰＵ２１は、表示項目をグラフと表との何れかで表示することを要求する形式要求を（Ｓ１１：ＹＥＳ、Ｓ１４：ＹＥＳ）。ＣＰＵ２１は形式要求に応じた表示形式で、表示項目をＬＣＤ２７に表示する（Ｓ３１、Ｓ３２、Ｓ５２、Ｓ５３）。情報処理装置２は管理者が要求する表示形式で表示項目をＬＣＤ２７に表示できる。管理者は必要に応じて表示形式を切り替えることができる。図１０に示す如く、ＣＰＵ２１は表示項目をグラフで表示する時、各表示項目の内、現在縫製量Ａ（Ｎ）、最終目標値Ｂ（Ｎ）、現在目標値Ｃ（Ｎ）は互いに色の異なる棒グラフで表示し、現在達成率Ｄ（Ｎ）は棒グラフの色とは異なる色の丸で示す。故に管理者は複数の表示項目から各表示項目が表す内容と注目したい表示項目を容易に識別できる。第一グラフ表示画面９０は出力キー９２を有するので、管理者は縫製装置３の進捗情報をプログラムが実行する処理とは別途編集、利用できる。図１１に示す如く、ＣＰＵ２１は表示項目をリストで表示する時、各表示項目の内、現在縫製量Ａ（Ｎ）、最終目標値Ｂ（Ｎ）、現在目標値Ｃ（Ｎ）の数値を確認しやすい。管理者は検索欄１０２を用いて所定条件を満たす縫製装置３を検索できる。
【００４７】
本発明の情報処理装置、情報処理システム、情報処理方法は上記実施形態の他に種々変更できる。上記実施形態では、ネットワーク８を介しての通信機能を単体で有さない縫製装置３に対して、外付けの端末装置としてリムーバブルメディア５を接続することで、縫製装置３の通信機能を達成していた。しかし、縫製装置３が外部機器とネットワーク８を介して通信する通信部を内蔵する時、リムーバブルメディア５は縫製装置３に接続されなくてもよい。即ち、縫製装置３自体が、端末装置としての役割を有してもよい。この場合、縫製装置３は進捗情報を記憶部３４に記憶し、所定のタイミングで直接情報処理装置２に送信してよい。進捗情報を送信する所定のタイミングは適宜変更してよい。端末装置は例えば、縫製装置３がコードを新たに生成、記憶した時にコードを含む進捗情報を情報処理装置２に送信してよい。縫製装置３が情報処理装置２に送信する進捗情報の種類は適宜変更してよい。その為に、縫製装置３のＣＰＵ３１又はリムーバブルメディア５の制御部５３は、情報処理装置２が実行する処理の各ステップの一部を実行してもよい。例えば、縫製装置３は現在目標値を計算して現在縫製量共に情報処理装置２に送信してもよい。情報処理装置２は、作業時間、最終目標値等の各種設定値の一部又は全部を縫製装置３が送信する情報に基づき設定してもよい。情報処理装置２が記憶する進捗情報を取得した時刻を示す時刻情報は縫製装置３が付与してもよいし、端末装置が付与してもよい。情報処理装置２は例えば、ログファイル名が含むデータ番号を時刻情報としてもよい。情報処理装置２はＬＣＤ２７、操作部２８を備えないサーバであってもよい。この場合、情報処理装置２はネットワーク８を介してＰＣ６からの送信される要求に従ってＰＣ６の表示部に要求に応じた表示項目を表示させてもよい。即ち情報処理装置２は情報処理システム１が備える外部機器の表示部に表示項目を表示してもよい。情報処理装置２は地理的に離れた複数の工場（拠点）毎に複数の縫製装置３を管理しなくてもよい。端末装置と縫製装置が電気的に接続されておらず、縫製装置の作業者の操作によって端末装置が縫製装置による縫製作業の進捗を示す進捗情報を送信してもよい。
【００４８】
情報処理装置が処理を実行する為の指令を含むプログラムは、情報処理装置２がプログラムを実行する迄に、情報処理装置が備える記憶機器が記憶すればよい。プログラムの取得方法、取得経路、プログラムを記憶する機器の各々は適宜変更してよい。情報処理装置はプロセッサが実行するプログラムをケーブル又は無線通信を介して他の装置から受信し、フラッシュメモリ等の記憶装置に記憶してもよい。他の装置は例えば、ＰＣ、ネットワーク網を介して接続するサーバを含む。
【００４９】
情報処理装置２が実行する処理の各ステップは、ＣＰＵ２１が実行する例に限らず、他の電子機器（例えば、ＡＳＩＣ）が一部又は全部の処理を実行してもよい。上記処理の各ステップは複数の電子機器（例えば、複数のＣＰＵ）が分散処理してもよい。上記実施形態の完了枚数取得処理及び応答処理の各ステップは必要に応じて順序の変更、ステップの省略と追加ができる。本発明は情報処理装置２の制御部からの指令に基づき、情報処理装置２上で稼動するオペレーティングシステム（ＯＳ）等が実際の処理の一部又は全部を行い、該処理によって上記実施形態の機能を実現する態様も含む。
【００５０】
生産状況表示要求（第一表示要求）に応じて表示する表示項目は、現在達成率と、最終目標値を示す値との少なくとも一方、現在縫製量、現在目標値を含めばよく、他の表示項目を含んでもよい。特定装置表示要求（第二表示要求）に応じて表示する表示項目は、期間達成率と、最終目標値を示す値との少なくとも一方、期間縫製量、期間目標値を含めばよく、他の表示項目を含んでもよい。情報処理装置２は、特定装置表示要求に応じた処理を省略又は変更してもよく、例えば、特定装置表示要求に応じて表示する表示項目は、期間達成率、期間縫製量、及び期間目標値の何れかでもよいし、他の表示項目を含んでもよい。表示形式がグラフ表示である時、縦棒グラフの他、横棒グラフ、散布図、折れ線グラフ、及び円グラフ等グラフの種類は適宜変更してよい。表示形式がリスト表示である時、記載順序等は適宜変更してよい。情報処理装置２はグラフ表示、リスト表示を切り替えることを要求する切替キーを画面内に表示し、切替キーの選択に応じて表示形式を切り替えてもよい。最終目標値を示す値は、最終目標値であってもよいし、現在縫製量を最終目標値で除した達成率でもよい。表示項目の有効数字、端数の処理方法等は適宜変更してよい。
【００５１】
情報処理装置２は、表示形式及び表示項目の少なくとも何れかを選択不能としてもよい。情報処理装置２は生産状況表示要求（第一表示要求）と特定装置表示要求（第二表示要求）とで互いに異なる表示形式又は表示項目を設定可能でもよい。情報処理装置２が表示する表示項目のレイアウト、大きさ、及び色等は適宜変更してよい。各画面の表示項目は、縫製装置３の作業者の識別情報、加工物の識別情報、工程の識別情報等、多の項目を含んでもよい。
【符号の説明】
【００５２】
２      情報処理装置
３      縫製装置
５      リムーバブルメディア
２１、３１    ＣＰＵ
２２、３２    ＲＯＭ
２３、３３    ＲＡＭ
２４、３４    記憶部
２５    通信Ｉ／Ｆ
２７    ＬＣＤ
２９    ドライブ装置
５１    通信装置
５２    記憶部
５３    制御部
【図１】
2018055493.tif 000003
【図２】
2018055493.tif 000004
【図３】
2018055493.tif 000005
【図４】
2018055493.tif 000006
【図５】
2018055493.tif 000007
【図６】
2018055493.tif 000008
【図７】
2018055493.tif 000009
【図８】
2018055493.tif 000010
【図９】
2018055493.tif 000011
【図１０】
2018055493.tif 000012
【図１１】
2018055493.tif 000013
【図１２】
2018055493.tif 000014
【図１３】
2018055493.tif 000015
【図１４】
2018055493.tif 000016
【図１５】
2018055493.tif 000017
【図１６】
2018055493.tif 000018